(57)【要約】【課題】ユーザが事故関連施設にドライブレコーダの情報を記録した記録媒体等を、持ち込む必要をなくし、利便性を向上させたドライブレコーダ撮像画像送信システム、ドライブレコーダ撮像画像送信方法及びプログラムを提供することを目的とする。【解決手段】事故時に、車両に備えられたドライブレコーダ１００が撮像する撮像画像を送信するドライブレコーダ撮像画像送信システム１は、前記車両に起きた衝撃を検知し、前記衝撃が検知された場合に、前記撮像画像を、事故に関連する施設に送信する。【選択図】図１
2017179182.tif 000002
【特許請求の範囲】
【請求項１】
事故時に、車両に備えられたドライブレコーダが撮像する撮像画像を送信するドライブレコーダ撮像画像送信システムであって、
前記車両に起きた衝撃を検知する衝撃検知手段と、
前記衝撃が検知された場合に、前記撮像画像を、事故に関連する施設に送信する撮像画像送信手段と、
を備えることを特徴とするドライブレコーダ撮像画像送信システム。
【請求項２】
前記ドライブレコーダのユーザに、前記撮像画像を前記事故に関連する施設に送信してよいかどうかの承認を得る承認手段と、
をさらに備え、
前記撮像画像送信手段は、前記承認を得た場合に、前記撮像画像を、送信する、
ことを特徴とする請求項１に記載のドライブレコーダ撮像画像送信システム。
【請求項３】
前記撮像画像送信手段は、前記検知された衝撃の値が所定の閾値以上であった場合に、前記撮像画像を、送信する、
ことを特徴とする請求項１に記載のドライブレコーダ撮像画像送信システム。
【請求項４】
前記撮像画像送信手段は、前記検知された衝撃のタイミングの前後の撮像画像を抜き出して、当該抜き出した撮像画像を、送信する、
ことを特徴とする請求項１に記載のドライブレコーダ撮像画像送信システム。
【請求項５】
前記撮像画像送信手段は、前記撮像画像、前記ドライブレコーダに登録されている属性情報及び前記ドライブレコーダの位置情報を送信する、
ことを特徴とする請求項１に記載のドライブレコーダ撮像画像送信システム。
【請求項６】
前記事故に関連する施設が、警察署、消防署又は病院である、
ことを特徴とする請求項１に記載のドライブレコーダ撮像画像送信システム。
【請求項７】
事故時に、車両に備えられたドライブレコーダが撮像する撮像画像を送信するドライブレコーダ撮像画像送信方法であって、
前記車両に起きた衝撃を検知するステップと、
前記衝撃が検知された場合に、前記撮像画像を、事故に関連する施設に送信するステップと、
を備えることを特徴とするドライブレコーダ撮像画像送信方法。
【請求項８】
事故時に、車両に備えられたドライブレコーダが撮像する撮像画像を送信するドライブレコーダ撮像画像送信システムに、
前記車両に起きた衝撃を検知するステップ、
前記衝撃が検知された場合に、前記撮像画像を、事故に関連する施設に送信するステップ、
を実行させることを特徴とするプログラム。
【発明の詳細な説明】
【技術分野】
【０００１】
本発明は、事故時に、車両に備えられたドライブレコーダが撮像する撮像画像を送信するドライブレコーダ撮像画像送信システム、ドライブレコーダ撮像画像送信方法及びプログラムに関する。
【背景技術】
【０００２】
近年、車両にドライブレコーダを搭載し、このドライブレコーダにより、事故等の車両に大きな衝撃が加わった前後１０数秒の時刻、位置、前方映像、加速度、ウインカー操作、ブレーキ操作等を記録することが行われている。このようにして記録されたドライブレコーダの情報を、外部装置に記憶させることが行われている。【０００３】
このような構成として、ドライブレコーダが記録した情報を、オンライン上のストレージや、外部サーバ等に記憶する構成が開示されている（特許文献１参照）。
【先行技術文献】
【特許文献】
【０００４】
【特許文献１】特開２０１５−２１０７７５号公報
【発明の概要】
【発明が解決しようとする課題】
【０００５】
しかしながら、特許文献１の構成では、ドライブレコーダが記録した情報を、警察署、消防署、医療機関等の事故に関連する施設である事故関連施設において、事故原因の究明に利用する際、ユーザは、情報を記録した記録媒体等を、事故関連施設に持ち込む必要があった。そのため、ユーザにとって利便性が低かった。【０００６】
本発明の目的は、ユーザが事故関連施設にドライブレコーダの情報を記録した記録媒体等を、持ち込む必要をなくし、利便性を向上させたドライブレコーダ撮像画像送信システム、ドライブレコーダ撮像画像送信方法及びプログラムを提供することを目的とする。
【課題を解決するための手段】
【０００７】
本発明では、以下のような解決手段を提供する。【０００８】
第１の特徴に係る発明は、事故時に、車両に備えられたドライブレコーダが撮像する撮像画像を送信するドライブレコーダ撮像画像送信システムであって、
前記車両に起きた衝撃を検知する衝撃検知手段と、
前記衝撃が検知された場合に、前記撮像画像を、事故に関連する施設に送信する撮像画像送信手段と、
を備えることを特徴とするドライブレコーダ撮像画像送信システムを提供する。【０００９】
第１の特徴に係る発明によれば、事故時に、車両に備えられたドライブレコーダが撮像する撮像画像を送信するドライブレコーダ撮像画像送信システムは、前記車両に起きた衝撃を検知し、前記衝撃が検知された場合に、前記撮像画像を、事故に関連する施設に送信する。【００１０】
ここで、第１の特徴に係る発明は、ドライブレコーダ撮像画像送信システムのカテゴリであるが、方法又はプログラム等の他のカテゴリにおいても、そのカテゴリに応じた同様の作用・効果を発揮する。【００１１】
第２の特徴に係る発明は、前記ドライブレコーダのユーザに、前記撮像画像を前記事故に関連する施設に送信してよいかどうかの承認を得る承認手段と、
をさらに備え、
前記撮像画像送信手段は、前記承認を得た場合に、前記撮像画像を、送信する、
ことを特徴とする第１の特徴に係る発明であるドライブレコーダ撮像画像送信システムを提供する。【００１２】
第２の特徴に係る発明によれば、第１の特徴に係る発明であるドライブレコーダ撮像画像送信システムは、前記ドライブレコーダのユーザに、前記撮像画像を前記事故に関連する施設に送信してよいかどうかの承認を得て、前記承認を得た場合に、前記撮像画像を、送信する。【００１３】
第３の特徴に係る発明は、前記撮像画像送信手段が、前記検知された衝撃の値が所定の閾値以上であった場合に、前記撮像画像を、送信する、
ことを特徴とする第１の特徴に係る発明であるドライブレコーダ撮像画像送信システムを提供する。【００１４】
第３の特徴に係る発明によれば、第１の特徴に係る発明であるドライブレコーダ撮像画像送信システムは、前記検知された衝撃の値が所定の閾値以上であった場合に、前記撮像画像を、送信する。【００１５】
第４の特徴に係る発明は、前記撮像画像送信手段が、前記検知された衝撃のタイミングの前後の撮像画像を抜き出して、当該抜き出した撮像画像を、送信する、
ことを特徴とする第１の特徴に係る発明であるドライブレコーダ撮像画像送信システムを提供する。【００１６】
第４の特徴に係る発明によれば、第１の特徴に係る発明であるドライブレコーダ撮像画像送信システムは、前記検知された衝撃のタイミングの前後の撮像画像を抜き出して、当該抜き出した撮像画像を、送信する。【００１７】
第５の特徴に係る発明は、前記撮像画像送信手段が、前記撮像画像、前記ドライブレコーダに登録されている属性情報及び前記ドライブレコーダの位置情報を送信する、
ことを特徴とする第１の特徴に係る発明であるドライブレコーダ撮像画像送信システムを提供する。【００１８】
第５の特徴に係る発明によれば、第１の特徴に係る発明であるドライブレコーダ撮像画像送信システムは、前記撮像画像、前記ドライブレコーダに登録されている属性情報及び前記ドライブレコーダの位置情報を送信する。【００１９】
第６の特徴に係る発明は、前記事故に関連する施設が、警察署、消防署又は病院である、
ことを特徴とする第１の特徴に係る発明であるドライブレコーダ撮像画像送信システムを提供する。【００２０】
第６の特徴に係る発明によれば、前記事故に関連する施設が、警察署、消防署又は病院である。【００２１】
第７の特徴に係る発明は、事故時に、車両に備えられたドライブレコーダが撮像する撮像画像を送信するドライブレコーダ撮像画像送信方法であって、
前記車両に起きた衝撃を検知するステップと、
前記衝撃が検知された場合に、前記撮像画像を、事故に関連する施設に送信するステップと、
を備えることを特徴とするドライブレコーダ撮像画像送信方法を提供する。【００２２】
第８の特徴に係る発明は、事故時に、車両に備えられたドライブレコーダが撮像する撮像画像を送信するドライブレコーダ撮像画像送信システムに、
前記車両に起きた衝撃を検知するステップ、
前記衝撃が検知された場合に、前記撮像画像を、事故に関連する施設に送信するステップ、
を実行させることを特徴とするプログラムを提供する。
【発明の効果】
【００２３】
本発明によれば、ユーザが事故関連施設にドライブレコーダの情報を記録した記録媒体等を、持ち込む必要をなくし、利便性を向上させたドライブレコーダ撮像画像送信システム、ドライブレコーダ撮像画像送信方法及びプログラムを提供することが可能となる。
【図面の簡単な説明】
【００２４】
【図１】図１は、ドライブレコーダ撮像画像送信システム１の概要を示す図である。
【図２】図２は、ドライブレコーダ撮像画像送信システム１の全体構成図である。
【図３】図３は、サーバ１０、ドライブレコーダ１００、情報端末２００の機能ブロック図である。
【図４】図４は、サーバ１０、ドライブレコーダ１００、情報端末２００が実行する撮像画像送信処理を示すフローチャートである。
【図５】図５は、事故関連施設データベースである。
【図６】図６は、端末配置データベースである。
【図７】図７は、情報端末２００が表示する事故発生位置画面を示す図である。
【発明を実施するための形態】
【００２５】
以下、本発明を実施するための最良の形態について、図を参照しながら説明する。なお、これはあくまでも一例であって、本発明の技術的範囲はこれに限られるものではない。
【００２６】
［ドライブレコーダ撮像画像送信システム１の概要］
本発明の好適な実施形態の概要について、図１に基づいて説明する。図１は、本発明の好適な実施形態であるドライブレコーダ撮像画像送信システム１の概要を説明するための図である。ドライブレコーダ撮像画像送信システム１は、サーバ１０、ドライブレコーダ１００、情報端末２００から構成される。
【００２７】
なお、図１において、ドライブレコーダ１００、情報端末２００は、１つに限らず複数であってもよい。また、後述する各処理は、サーバ１０、ドライブレコーダ１００又は情報端末２００のいずれか又は複数の組合せにより実現されてもよい。
【００２８】
サーバ１０は、ドライブレコーダ１００、情報端末２００とデータ通信可能なサーバ装置である。
【００２９】
ドライブレコーダ１００は、車両に搭載され、この車両に衝撃が加わった前後の所定の時刻、位置、前方映像、加速度、ウインカー操作、ブレーキ操作等を記憶する車載カメラ装置である。ドライブレコーダ１００は、前方映像として、動画や静止画等の画像を撮像し、撮像した撮像画像を記憶する。ドライブレコーダ１００は、サーバ１０、情報端末２００とデータ通信可能な車載カメラ装置である。なお、ドライブレコーダ１００は、衝撃が加わった前後に限らず、常時画像を撮像し、撮像画像等を記憶する構成であってもよい。
【００３０】
情報端末２００は、警察署、消防署、医療機関等の事故に関連する施設である事故関連施設に配置され、サーバ１０、ドライブレコーダ１００とデータ通信可能な端末装置である。情報端末２００は、例えば、携帯電話、携帯情報端末、タブレット端末、パーソナルコンピュータに加え、ネットブック端末、スレート端末、電子書籍端末、携帯型音楽プレーヤ等の電化製品や、オペレータが装着するスマートグラス、ヘッドマウントディスプレイ等のウェアラブル端末や、その他の物品等である。
【００３１】
本実施形態において、ドライブレコーダ１００の撮像画像を、事故関連施設に配置された情報端末２００に送信することにより、ドライブレコーダ１００の撮像画像を事故関連施設に送信することが可能となる。
【００３２】
はじめに、車両に備えられたドライブレコーダ１００は、設置場所の前方の動画や静止画等の画像を撮像する（ステップＳ０１）。ドライブレコーダ１００は、ステップＳ０１以前に、予め、撮像した撮像画像の撮像画像データを、警察署、消防署、医療機関等の事故関連施設に送信するか否かの承認をユーザに求めておき、承認が得られた場合に、後述する処理を実行する構成であってもよい。このとき、撮像画像データだけでなく、撮像画像データのうち、事故が発生した前後の所定の期間における撮像画像データの一部を抜き出した抜出データや、ユーザの氏名等のユーザ情報及び車両のナンバーや車種等の車両情報である属性情報等の属性データや、ＧＰＳ等から取得した自身の位置情報の位置データや、加速度、ウインカー操作、ブレーキ操作等の運転に関する情報である運転データ等のドライブデータを送信する承認を求めておき、承認が得られた場合に、後述する処理を実行する構成であってもよい。
【００３３】
ドライブレコーダ１００は、衝撃を検知した場合、撮像画像データを、サーバ１０に送信する（ステップＳ０２）。ドライブレコーダ１００は、検知した衝撃が所定の閾値以上である場合、撮像画像データを、サーバ１０に送信する構成であってもよい。ドライブレコーダ１００は、衝撃を検知した前後の抜出データ、属性データ、位置データ、運転データ等のドライブデータを送信する構成であってもよい。
【００３４】
サーバ１０は、受信した撮像画像データを受信し、記憶する。サーバ１０は、この撮像画像データを、事故関連施設に配置された情報端末２００に送信する（ステップＳ０３）。ドライブレコーダ１００は、抜出データを、サーバ１０を介さず、事故関連施設に配置された情報端末２００に直接送信する構成であってもよい。
【００３５】
以上が、ドライブレコーダ撮像画像送信システム１の概要である。
【００３６】
［ドライブレコーダ撮像画像送信システム１のシステム構成］
図２に基づいて、本発明の好適な実施形態であるドライブレコーダ撮像画像送信システム１のシステム構成について説明する。図２は、本発明の好適な実施形態であるドライブレコーダ撮像画像送信システム１のシステム構成を示す図である。ドライブレコーダ撮像画像送信システム１は、サーバ１０、ドライブレコーダ１００、情報端末２００、公衆回線網（インターネット網や、第３、第４世代通信網等）５から構成される。なお、ドライブレコーダ１００又は情報端末２００は、１つに限らず複数であってもよい。また、後述する各処理は、サーバ１０、ドライブレコーダ１００又は情報端末２００のいずれか又は複数の組合せにより実現されてもよい。
【００３７】
サーバ１０は、後述の機能を備えた上述したサーバ装置である。
【００３８】
ドライブレコーダ１００は、後述の機能を備えた上述した車載カメラ装置である。
【００３９】
情報端末２００は、後述の機能を備えた上述した端末装置である。
【００４０】
［各機能の説明］
図３に基づいて、本発明の好適な実施形態であるドライブレコーダ撮像画像送信システム１の機能について説明する。図３は、サーバ１０、ドライブレコーダ１００、情報端末２００の機能ブロック図を示す図である。
【００４１】
サーバ１０は、制御部１１として、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を備え、通信部１２として、他の機器と通信可能にするためのデバイス、例えば、ＩＥＥＥ８０２．１１に準拠したＷｉＦｉ（Ｗｉｒｅｌｅｓｓ  Ｆｉｄｅｌｉｔｙ）対応デバイスを備える。また、サーバ１０は、記憶部１３として、ハードディスクや半導体メモリ、記録媒体、メモリカード等によるデータのストレージ部を備える。
【００４２】
サーバ１０において、制御部１１が所定のプログラムを読み込むことにより、通信部１２と協働して、データ受信モジュール２０、データ送信モジュール２１を実現する。また、サーバ１０において、制御部１１が所定のプログラムを読み込むことにより、記憶部１３と協働して、データ記憶モジュール３０、施設特定モジュール３１、端末特定モジュール３２を実現する。
【００４３】
ドライブレコーダ１００は、サーバ１０と同様に、制御部１１０として、ＣＰＵ、ＲＡＭ、ＲＯＭ等を備え、通信部１２０として、他の機器と通信可能にするための無線デバイス等を備え、記憶部１３０として、データのストレージ部を備え、入出力部１４０として、制御部１１０で制御したデータや画像を出力表示する表示部や、オペレータからの入力を受け付けるタッチパネルやキーボード、マウス等の入力部や、自身の前方の静止画や動画等の画像を撮像するデバイス、衝撃を検知するセンサ等のデバイス、ＧＰＳから自身の位置情報を取得するデバイス等を備える。
【００４４】
ドライブレコーダ１００において、制御部１１０が所定のプログラムを読み込むことにより、通信部１２０と協働して、データ送信モジュール１５０を実現する。また、ドライブレコーダ１００において、制御部１１０が所定のプログラムを読み込むことにより、記憶部１３０と協働して、データ記憶モジュール１６０、データ抜出モジュール１６１を実現する。また、ドライブレコーダ１００において、制御部１１０が所定のプログラムを読み込むことにより、入出力部１４０と協働して、承認受付モジュール１７０、撮像モジュール１７１、衝撃検知モジュール１７２を実現する。
【００４５】
情報端末２００は、ドライブレコーダ１００と同様に、制御部２１０として、ＣＰＵ、ＲＡＭ、ＲＯＭ等を備え、通信部２２０として、他の機器と通信可能にするための無線デバイス等を備え、記憶部２３０として、データのストレージ部を備え、入出力部２４０として、表示部や入力部やＧＰＳから自身の位置情報を取得するデバイス等を備える。
【００４６】
情報端末２００において、制御部２１０が所定のプログラムを読み込むことにより、通信部２２０と協働して、データ受信モジュール２５０を実現する。また、情報端末２００において、制御部２１０が所定のプログラムを読み込むことにより、記憶部２３０と協働して、データ記憶モジュール２６０を実現する。情報端末２００において、制御部２１０が所定のプログラムを読み込むことにより、入出力部２４０と協働して、表示モジュール２７０を実現する。
【００４７】
［撮像画像送信処理］
図４に基づいて、サーバ１０、ドライブレコーダ１００、情報端末２００が実行する撮像画像送信処理について説明する。図４は、サーバ１０、ドライブレコーダ１００、情報端末２００が実行する撮像画像送信処理のフローチャートを示す図である。上述した各装置のモジュールが実行する処理について、本処理に併せて説明する。
【００４８】
承認受付モジュール１７０は、自身が撮像した撮像画像を示す撮像画像データ、撮像画像データの一部を抜き出した抜出データ、予め登録されたユーザの氏名や電話番号等のユーザ情報や、ドライブレコーダ１００の識別子、製造番号、名称等のレコーダ情報や、自身が搭載された車両のナンバーや車種等の車両情報を示す属性情報である属性データ、ＧＰＳ等から取得した自身の位置情報である位置データ、加速度やウインカー操作やブレーキ操作等の運転に関する情報である運転データ等のドライブデータを送信する承認を求め、承認が得られたか否かを判断する（ステップＳ１０）。ステップＳ１０において、承認受付モジュール１７０は、ユーザからの音声入力や、キーボードやタッチパネル等からの入力により、承認又は拒否の入力を受け付けることにより、承認が得られたか否かを判断する。また、ステップＳ１０において、承認受付モジュール１７０は、ユーザが所持する図示していないユーザ端末等からの承認又は拒否の指示入力を受け付けることにより、承認又は拒否の入力を受け付け、承認が得られたか否かを判断する。なお、ステップＳ１０において、承認受付モジュール１７０は、上述した構成以外の構成により、承認が得られたか否かの判断を実行してもよい。
【００４９】
ドライブレコーダ１００は、ステップＳ１０の処理を省略して、後述するステップＳ１１以降の処理を実行してもよい。この場合、ドライブレコーダ１００は、承認が得られたものとして、後述する各処理を実行する。
【００５０】
ステップＳ１０において、承認受付モジュール１７０は、承認を受け付けていないと判断した場合（ステップＳ１０  ＮＯ）、本処理を終了し、後述する処理を実行せず、ドライブレコーダ１００は、ドライブデータを自身に記憶する。
【００５１】
一方、ステップＳ１０において、承認受付モジュール１７０は、承認を受け付けたと判断した場合（ステップＳ１０  ＹＥＳ）、後述する各処理を実行する。
【００５２】
撮像モジュール１７１は、設置場所の前方の画像を撮像画像として撮像する（ステップＳ１１）。
【００５３】
データ記憶モジュール１６０は、撮像モジュール１７１が撮像した撮像画像の撮像画像データと、ドライブレコーダ１００がＧＰＳ等から取得する自身の現在位置に関する位置情報の位置データと、加速度やウインカー操作やブレーキ操作等のユーザの運転に関する情報の運転データと、現在日時を示す時刻データとを対応付けたドライブデータを記憶する（ステップＳ１２）。なお、ステップＳ１２において、データ記憶モジュール１６０は、運転データを除外し、撮像画像データと位置データとを対応付けて記憶する構成であってもよいし、撮像画像データのみを記憶する構成であってもよい。また、ステップＳ１２において、データ記憶モジュール１６０は、運転データとして、上述した情報以外の情報を記憶していてもよい。
【００５４】
衝撃検知モジュール１７２は、衝撃を検知したか否かを判断する（ステップＳ１３）。ステップＳ１３において、衝撃検知モジュール１７２は、ドライブレコーダ１００に設けられた衝撃センサの反応に基づいて衝撃を検知する。ステップＳ１３において、衝撃検知モジュール１７２は、衝撃を受けていない場合、衝撃を検知していないと判断し（ステップＳ１３  ＮＯ）、ステップＳ１１の処理を繰り返す。
【００５５】
一方、ステップＳ１３において、衝撃検知モジュール１７２は、衝撃を検知した場合（ステップＳ１３  ＹＥＳ）、検知した衝撃が所定の閾値以上であるか否かを判断する（ステップＳ１４）。ステップＳ１４において、所定の閾値とは、例えば、車両の一部又は全部が損傷する程度の衝撃を示す値や、車両の走行が困難になる程度の衝撃を示す値等である。なお、所定の閾値は、他の条件や他の数値等であってもよい。
【００５６】
ステップＳ１４において、衝撃検知モジュール１７２は、所定の閾値以上ではないと判断した場合（ステップＳ１４  ＮＯ）、ステップＳ１１の処理を繰り返す。一方、ステップＳ１４において、衝撃検知モジュール１７２は、所定の閾値以上であると判断した場合（ステップＳ１４  ＹＥＳ）、データ抜出モジュール１６１は、この衝撃を検知した日時の前後の所定の期間におけるドライブデータを抜き出し、抜き出したドライブデータを、抜出ドライブデータとして抽出する（ステップＳ１５）。ステップＳ１５において、前後の所定の期間とは、例えば、前後１分、前後数十秒、前後数分である。ステップＳ１５において、抜出ドライブデータには、所定の期間の撮像画像データ、運転データ及び位置データが含まれる。なお、前後の所定の期間は、上述した例以外の期間であってもよく、例えば、検知前から検知時点の間の１分、数十秒、数分であってもよいし、上述した例に限られない。
【００５７】
データ送信モジュール１５０は、抜出ドライブデータと、上述した属性データとを含むレコードデータをサーバ１０に送信する（ステップＳ１６）。
【００５８】
データ受信モジュール２０は、ドライブレコーダ１００が送信したレコードデータを受信する。データ記憶モジュール３０は、レコードデータを記憶する（ステップＳ１７）。ステップＳ１７において、サーバ１０は、レコードデータに含まれる抜出ドライブデータに基づいて、衝撃の発生原因である事故内容を解析し、解析した結果をレコードデータに含めて記憶する。サーバ１０は、事故内容の解析として、抜出ドライブデータを画像解析し、抜出ドライブデータに人物が含まれているか、電柱やガードレール等の物体が含まれているか、車両が含まれているか等の情報を取得し、事故内容を判断する。なお、サーバ１０は、上述した構成以外の構成により、事故内容の解析を実行してもよい。
【００５９】
施設特定モジュール３１は、レコードデータに含まれる位置情報に基づいて、事故関連施設を特定する（ステップＳ１８）。ステップＳ１８において、施設特定モジュール３１は、例えば、レコードデータに含まれる位置情報と、予めデータ記憶モジュール３０が記憶する地図データとに基づいて、最寄りの事故関連施設を特定する。また、ステップＳ１８において、施設特定モジュール３１は、例えば、レコードデータに含まれる位置情報と、後述する事故関連施設データベースとに基づいて、事故現場の最寄りの事故関連施設を特定する。また、ステップＳ１８において、施設特定モジュール３１は、例えば、レコードデータに含まれる抜出ドライブデータに基づいて、事故内容を解析し、事故関連施設として最寄りの警察署、消防署、医療機関の其々を特定する。
【００６０】
［事故関連施設データベース］
図５に基づいて、データ記憶モジュール３０が記憶する事故関連施設データベースについて説明する。図５は、データ記憶モジュール３０が記憶する事故関連施設データベースを示す図である。図５において、データ記憶モジュール３０は、事故関連施設と、位置情報とを対応付けて記憶する。事故関連施設とは、警察署、消防署、医療機関等の公共施設の名称である。また、位置情報とは、この事故関連施設が存在する場所の情報である。なお、データ記憶モジュール３０が記憶する事故関連施設と位置情報とは、本実施形態の数や種類に限られるものではなく、適宜変更可能である。また、データ記憶モジュール３０は、位置情報として、住所を記憶していてもよいし、事故関連施設と、位置情報とに加え、電話番号、担当者名等のその他の情報が記憶されていてもよい。
【００６１】
ステップＳ１８において、施設特定モジュール３１は、レコードデータに含まれる位置情報に基づいて、事故関連施設データベースの位置情報を参照することにより、最寄りの事故関連施設を抽出する。施設特定モジュール３１は、この抽出した最寄りの位置情報に対応付けられた事故関連施設を抽出する。その結果、施設特定モジュール３１は、事故関連施設を特定する。なお、施設特定モジュール３１は、警察署、消防署、医療機関の其々の施設毎に最寄りの事故関連施設を特定してもよい。また、施設特定モジュール３１が特定する事故関連施設の数は、一の事故関連施設に限らず、複数であってもよい。この場合、複数の事故関連施設の各々に配置された情報端末２００に対して、後述する各処理を実行すればよい。また、施設特定モジュール３１は、他の方法により事故関連施設を特定してもよい。
【００６２】
端末特定モジュール３２は、特定した事故関連施設に基づいて、レコードデータを送信する情報端末２００を特定する（ステップＳ１９）。ステップＳ１９において、端末特定モジュール３２は、端末配置データベースに基づいて、サーバ１０がレコードデータを送信する情報端末２００を特定する。
【００６３】
［端末配置データベース］
図６に基づいて、データ記憶モジュール３０が記憶する端末配置データベースについて説明する。図６は、データ記憶モジュール３０が記憶する端末配置データベースを示す図である。図６において、データ記憶モジュール３０は、事故関連施設と、この事故関連施設に配置された情報端末２００の識別番号とを対応付けて記憶する。事故関連施設は、上述した事故関連施設データベースと同様の構成である。識別番号とは、情報端末２００を識別する識別子であり、事故関連施設に配置された情報端末２００毎に設定される。なお、データ記憶モジュール３０が記憶する事故関連施設と識別番号とは、本実施形態の数や種類に限られるものではなく、適宜変更可能である。また、データ記憶モジュール３０は、識別番号ではなく、他の識別子が記憶されていてもよいし、一の事故関連施設に対して、複数の情報端末２００が対応付けられて記憶していてもよい。
【００６４】
ステップＳ１９において、端末特定モジュール３２は、特定した事故関連施設に基づいて、端末配置データベースを参照することにより、この事故関連施設を抽出する。端末特定モジュール３２は、抽出した事故関連施設に対応付けられた情報端末２００の識別番号を抽出する。その結果、端末特定モジュール３２は、ステップＳ１８において特定した事故関連施設に配置された情報端末２００を特定する。
【００６５】
データ送信モジュール２１は、特定した情報端末２００に、レコードデータを送信する（ステップＳ２０）。
【００６６】
データ受信モジュール２５０は、サーバ１０が送信したレコードデータを受信する。データ記憶モジュール２６０は、受信したレコードデータを記憶する（ステップＳ２１）。
【００６７】
表示モジュール２７０は、情報端末２００の管理者からの入力又はレコードデータを受信したことを契機として、事故発生位置画面を表示する（ステップＳ２２）。
【００６８】
図７は、表示モジュール２７０が表示する事故発生位置画面を示す図である。図７において、表示モジュール２７０は、地図３００を表示する。表示モジュール２７０は、情報端末２００が外部から取得した地図データや、自身が記憶する地図データ等に基づいて、地図３００を表示する。表示モジュール２７０は、地図３００に、自身の現在地を示す現在地アイコン３１０、事故発生位置を示す目的地アイコン３２０、現在地から事故発生位置までの道筋を示す経路３３０、事故内容表示領域３４０を重畳させて表示する。表示モジュール２７０は、ＧＰＳ等から取得した自身の位置情報に基づいて、現在地アイコン３１０を地図上に表示する。表示モジュール２７０は、レコードデータに含まれる位置情報に基づいて、目的地アイコン３２０を地図上に表示する。表示モジュール２７０は、現在地と、事故発生位置とに基づいて、現在地から事故発生位置までの移動経路を検索し、検索した移動経路を、経路３３０として表示する。表示モジュール２７０は、レコードデータの事故内容に基づいて、事故内容表示領域３４０に、事故の発生日時、事故の種別を表示する。
【００６９】
なお、表示モジュール２７０が表示する現在地アイコン３１０、目的地アイコン３２０、経路３３０、事故内容表示領域３４０の表示位置、表示態様等は適宜変更可能である。また、表示モジュール２７０は、現在地アイコン３１０、目的地アイコン３２０、経路３３０、事故内容表示領域３４０のうちのいずれかのみを表示してもよいし、表示しない構成が存在していてもよい。また、表示モジュール２７０が事故内容表示領域３４０に表示する情報は、上述した情報以外の情報であってもよいし、上述した情報のいずれかであってもよい。また、表示モジュール２７０は、上述した各表示内容以外の構成を表示していてもよい。
【００７０】
また、ステップＳ２２の処理は省略されてもよい。この場合、情報端末２００からの入力操作を受け付けた場合、記憶したレコードデータに基づいて、上述した事故発生位置画面を表示する構成であってよい。
【００７１】
以上が、撮像画像送信処理である。
【００７２】
なお、ドライブレコーダ１００と、情報端末２００とが上述した撮像画像送信処理を、実行する構成であってもよい。この場合、サーバ１０が実行した各処理は、ドライブレコーダ１００又は情報端末２００のいずれか又は双方により実行されればよい。
【００７３】
上述した手段、機能は、コンピュータ（ＣＰＵ、情報処理装置、各種端末を含む）が、所定のプログラムを読み込んで、実行することによって実現される。プログラムは、例えば、フレキシブルディスク、ＣＤ（ＣＤ−ＲＯＭなど）、ＤＶＤ（ＤＶＤ−ＲＯＭ、ＤＶＤ−ＲＡＭなど）等のコンピュータ読取可能な記録媒体に記録された形態で提供される。この場合、コンピュータはその記録媒体からプログラムを読み取って内部記憶装置又は外部記憶装置に転送し記憶して実行する。また、そのプログラムを、例えば、磁気ディスク、光ディスク、光磁気ディスク等の記憶装置（記録媒体）に予め記録しておき、その記憶装置から通信回線を介してコンピュータに提供するようにしてもよい。
【００７４】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００７５】
１  ドライブレコーダ撮像画像送信システム、１０  サーバ、１００  ドライブレコーダ、２００  情報端末
【図１】
2017179182.tif 000003
【図２】
2017179182.tif 000004
【図３】
2017179182.tif 000005
【図４】
2017179182.tif 000006
【図５】
2017179182.tif 000007
【図６】
2017179182.tif 000008
【図７】
2017179182.tif 000009
【国際調査報告】
2017179182.tif 000010
2017179182.tif 000011